(57)【要約】【課題】紙詰まりが発生した場合に給紙元を変更して印刷ジョブを継続させる。【解決手段】装置内で紙詰まりが発生すると、給紙元選出部が紙詰まりを検知した位置に用紙を送らない給紙部を選出する（Ｓ１１）。印刷条件判断部は、選出された給紙部の設定内容と印刷ジョブの印刷条件が一致しているかを判断する（Ｓ１２）。印刷条件判断部は、選出された給紙部の設定内容と印刷ジョブの印刷条件が一致し（Ｓ１２；ＹＥＳ）、当該選出された給紙部が専用給紙段と判断した場合（Ｓ１３；ＹＥＳ）、表示制御部は表示部に専用給紙段の設定を解除するかの入力を促すメッセージを表示させる（Ｓ１４）。ユーザーが解除した場合（Ｓ１５；ＹＥＳ）、印刷制御部は給紙元選出部が選出した給紙部の専用給紙段設定を解除する（Ｓ１６）。印刷制御部は給紙元選出部が選出した給紙部を新しい給紙元として印刷を再開させる（Ｓ１７）。【選択図】図３
2020075403.tif 000002
【特許請求の範囲】
【請求項１】
用紙を収納する複数の給紙機構と、
前記用紙に画像を形成する画像形成部と、
印刷ジョブに従って前記画像形成部により前記用紙に画像を形成させる印刷制御部と、
装置内の紙詰まりを検出するジャム検出部と、
前記印刷ジョブの実行中に前記ジャム検出部が紙詰まりを検知したとき、前記複数の給紙機構のうち前記紙詰まりを検知した位置に用紙を送らない給紙機構を選出する給紙元選出部と、
前記選出された給紙機構の設定条件と前記印刷ジョブの印刷条件が一致するか否かを判断し、当該印刷条件が一致すると判断した場合に、前記選出された給紙機構が、予め設定された条件の印刷時にのみ給紙する専用給紙段であるかを判断する印刷条件判断部とを備え、
前記印刷制御部は、前記選出された給紙機構が前記専用給紙段であると前記印刷条件判断部によって判断された場合に、前記選出された給紙機構の専用給紙段設定を解除して、前記選出された給紙機構を新しい給紙元として前記印刷ジョブを実行する画像形成装置。
【請求項２】
表示部と、
前記表示部の表示動作を制御する表示制御部と、
ユーザーによる操作入力を受け付ける入力受付部とを更に備え、
前記表示制御部は、前記選出された給紙機構が前記専用給紙段であると前記印刷条件判断部によって判断された場合に、前記選出された給紙機構の専用給紙段設定を解除するか否かの選択の入力を促す旨のメッセージを前記表示部に表示させ、前記入力受付部は当該選出された給紙機構の専用給紙段設定を解除するか否かの選択入力を受け付け、前記入力受付部が当該選出された給紙機構の専用給紙段設定を解除する選択入力を受け付けた場合、前記印刷制御部は、当該選出された給紙機構の専用給紙段設定を解除して、前記印刷ジョブを再開する請求項１に記載の画像形成装置。
【請求項３】
前記給紙機構は、用紙を収容する複数の給紙カセット、及び手差しトレイであり、
前記印刷条件判断部は、前記給紙元選出部により選出された給紙カセットの設定内容と前記印刷ジョブの印刷条件が一致していない場合には、前記給紙元選出部により紙詰まり位置を回避して給紙可能として選出されている手差しトレイを、印刷ジョブの印刷条件と一致するものとして判断し、
前記印刷制御部は、前記手差しトレイを新しい給紙元として前記印刷ジョブを実行する請求項１又は請求項２に記載の画像形成装置。
【発明の詳細な説明】
【技術分野】
【０００１】
本発明は、用紙に画像を形成する画像形成装置に関する。
【背景技術】
【０００２】
画像形成装置において、用紙の紙詰まりが発生するとその用紙を取り除く作業が必要となる。その間印刷ジョブが一時中断されるため、効率低下が問題となっていた。特許文献１には、紙詰まりが発生すると、紙詰まりが発生した経路を回避して印刷を継続する方法が記載されている。
【先行技術文献】
【特許文献】
【０００３】
【特許文献１】特開２０１３−１８５６１号公報
【発明の概要】
【発明が解決しようとする課題】
【０００４】
しかしながら、特許文献１の方法の場合、搬送手段が紙詰まり位置を経由しない搬送経路を用いて用紙を排紙トレイに搬送する方法について記載されている。つまり主に用紙の排出先や後処理の設定について記載されており、給紙元については考慮されていない。
【０００５】
本発明は、上記の問題を解決するためになされたもので、紙詰まりが発生した場合、給紙元を変更することで印刷ジョブを継続させることができる画像形成装置を提案することを目的とする。
【課題を解決するための手段】
【０００６】
本発明における画像形成装置は、用紙を収納する複数の給紙機構と、前記用紙に画像を形成する画像形成部と、印刷ジョブに従って前記画像形成部により前記用紙に画像を形成させる印刷制御部と、装置内の紙詰まりを検出するジャム検出部と、前記印刷ジョブの実行中に前記ジャム検出部が紙詰まりを検知したとき、前記複数の給紙機構のうち前記紙詰まりを検知した位置に用紙を送らない給紙機構を選出する給紙元選出部と、前記選出された給紙機構の設定条件と前記印刷ジョブの印刷条件が一致するか否かを判断し、当該印刷条件が一致すると判断した場合に、前記選出された給紙機構が、予め設定された条件の印刷時にのみ給紙する専用給紙段であるかを判断する印刷条件判断部とを備え、前記印刷制御部は、前記選出された給紙機構が前記専用給紙段であると前記印刷条件判断部によって判断された場合に、前記選出された給紙機構の専用給紙段設定を解除して、前記選出された給紙機構を新しい給紙元として前記印刷ジョブを実行するものである。
【発明の効果】
【０００７】
本発明によれば、紙詰まり発生後に給紙可能な給紙機構が専用給紙段である場合、印刷ジョブの印刷条件と専用給紙段の設定内容が一致しているときは専用給紙段設定を解除することで、印刷を継続することができる。つまり、紙詰まり発生時の画像形成装置のパフォーマンスを向上させることができる。
【図面の簡単な説明】
【０００８】
【図１】画像形成装置の構造を示す正面断面図である。
【図２】画像形成装置の内部構成を示す機能ブロック図である。
【図３】第一の実施の形態における紙詰まり発生時の処理の流れを示したフローチャートである。
【図４】第一の実施の形態における表示部が表示する画面の一例である。
【発明を実施するための形態】
【０００９】
以下、本発明の一実施形態に係る画像形成装置について図面を参照して説明する。尚、本実施の形態では、電子写真方式を用いた画像形成装置１を例に挙げて説明するが、インクジェット方式等の他の印刷方式を用いた画像形成装置であっても構わない。また、本発明を説明するために、第一の実施の形態と第二の実施の形態の２つの実施形態を例に挙げて説明する。
【００１０】
図１は、本実施の形態における画像形成装置１の構造を示す正面断面図である。画像形成装置１は、例えば、コピー機、プリンター及びファクシミリ等であってもよいし、これらの機能を備えた複合機であってもよい。また、画像形成装置１はカラーで印刷可能な装置として説明するが、モノクロ印刷のみ可能な装置であってもよい。
【００１１】
画像形成装置１は、装置本体１１に、入力受付部４７、画像形成部１２、定着部１３、給紙カセット１４ａ、１４ｂ及び１４ｃ（以下、適宜まとめて「給紙カセット群１４」と記す）、手差しトレイ１５、画像読取部５、排出トレイ１５１等を備えて構成されている。
【００１２】
画像読取部５は、上面に設けられた原稿を載置するためのコンタクトガラス１６１、コンタクトガラス１６１に載置された原稿に光を照射する光源２６、原稿からの反射光を第２ミラー２２に反射する第１ミラー２１、反射光をＣＣＤ（Charge Coupled Device）やＣＭＯＳ（Complementary Metal Oxide Semiconductor）等のイメージセンサーで構成された撮像素子２５へ導く第３ミラー２３及びレンズ系２４を有する。
【００１３】
また原稿押さえ板６は、コンタクトガラス１６１に対して開閉自在である。ユーザーがコンタクトガラス１６１上に原稿を置いて原稿押さえ板６を閉状態にしてスタートボタン（不図示）を押下すると、後述する印刷制御部３１５の制御に従って光源２６が発光し、この光源２６の光がコンタクトガラス１６１を透過して原稿に照射される。その結果、原稿の反射光がコンタクトガラス１６１を通して第１ミラー２１に入射する。この入射光は、第２ミラー２２、第３ミラー２３及びレンズ系２４を通過した後、撮像素子２５へ入射する。
【００１４】
撮像素子２５は、印刷制御部３１５の制御に従って動作し、入射光を電気信号へ変換する。撮像素子２５は、主走査方向に配列しており、主走査方向の１ライン分の出力値を得る。
【００１５】
更に、光源２６、第１ミラー２１、第２ミラー２２及び第３ミラー２３は、モーター等の駆動部（不図示）によって主走査方向と直交した副走査方向に一定速度で移動する。こうすることで、画像読取部５は原稿の主走査方向１ライン分の出力値を副走査方向に連続して取得し、結果として原稿全体の画像を読み取ることができる。
【００１６】
入力受付部４７は、ユーザーから印刷やスキャナー等の機能選択や、各種設定の入力、処理の実行開始等を受け付ける。入力受付部４７は、ユーザーへの操作案内等を表示する表示部４７３を備えている。
【００１７】
画像形成装置１が画像形成動作を行う場合は、画像読取部５が読み取った画像に基づいて、画像形成部１２が、給紙カセット群１４から給紙される用紙にトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、帯電、露光及び現像の工程により感光体ドラム１２１上にトナー像を形成し、そのトナー像を一次転写ローラー１２６により中間転写ベルト１２５上に転写させる。
【００１８】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成されたカラーのトナー像を、中間転写ベルト１２５を挟んで駆動ローラー１２５ａとのニップ部Ｎにおいて、給紙カセット群１４から搬送路１８０を搬送されてきた用紙に転写させる。この後、定着部１３が、用紙上のトナー像を、熱圧着により用紙に定着させる。定着処理の完了した画像形成済みの用紙は、搬送部１７により排出トレイ１５１に排出される。
【００１９】
給紙カセット群１４は、複数の給紙カセット１４ａ、１４ｂ及び１４ｃを備える。これに加えて、給紙カセット群１４とは別に、手差しトレイ１５を備える。後述する印刷制御部３１５が、印刷ジョブの内容に応じて給紙カセット群１４のピックアップローラー１４５のいずれか、または手差しトレイ１５のピックアップローラー１４６を回転駆動させることにより、給紙カセット群１４又は手差しトレイ１５に収容されている用紙は搬送路１８０を経由してニップ部Ｎに向けて搬送される。なお、印刷ジョブとは、印刷を伴うジョブのことをいう。また、複数の給紙カセット１４ａ、１４ｂ、１４ｃと、手差しトレイ１５は、特許請求の範囲における給紙機構の一例である。
【００２０】
図２は、画像形成装置１の内部構成を示す機能ブロック図である。画像形成装置１は、制御ユニット３１、入力受付部４７、画像読取部５、給紙部１６、搬送部１７、画像形成部１２、及びセンサー４１を備えて構成される。図１と同じ構成要素には同じ番号を付し、説明を省略する。
【００２１】
給紙部１６は、給紙カセット群１４及び手差しトレイ１５を含む。
【００２２】
搬送部１７は、ピックアップローラー１４５及び１４６等を含み、給紙部１６から画像形成部１２を介して排紙トレイ１５１へ用紙を搬送するまでの用紙搬送路及び用紙搬送ローラーを備える。
【００２３】
センサー４１は、搬送路１８０上の複数の場所に設けられるものであり、例えば、光センサー等で構成される。センサー４１は、搬送路１８０上における用紙の位置を検知して、検知信号を後述する制御ユニット３１へ出力する。
【００２４】
制御ユニット３１は、内蔵するＲＯＭ等の記憶部に記憶されている制御プログラムに従った上記プロセッサーによる動作により、ジャム検出部３１１、給紙元選出部３１２、印刷条件判断部３１３、表示制御部３１４、及び印刷制御部３１５として機能するものである。但し、ジャム検出部３１１、給紙元選出部３１２、印刷条件判断部３１３、表示制御部３１４、及び印刷制御部３１５は、制御ユニット３１による制御プログラムに従った動作によらず、それぞれハードウェア回路により構成することも可能である。以下、特に触れない限り、各実施形態について同様である。
【００２５】
印刷制御部３１５は、画像形成装置１の全体的な動作制御を司る。制御ユニット３１は、搬送部１７、画像読取部５、画像形成部１２、給紙部１６、入力受付部４７、及びセンサー４１と接続され、印刷制御部３１５は、これら各部の駆動制御等を行う。
【００２６】
ジャム検出部３１１は、センサー４１から出力された検知信号に基づいて紙詰まりの発生と、搬送路１８０上における紙詰まりの発生位置を検出する。
【００２７】
給紙元選出部３１２は、搬送路１８０上で紙詰まりが発生した場合、紙詰まりを検知した位置に用紙を送らない給紙カセット又は手差しトレイ１５を１つ以上選出する。給紙部１６の給紙カセット群１４の全て及び手差しトレイ１５には、それぞれに、給紙時に用いる搬送路と、給紙時に搬送路におけるいずれの領域に用紙を通過させるか、の情報が設定されている。当該設定は、例えば、制御ユニット３１が内蔵するメモリーに記憶されている。給紙元選出部３１２は、当該メモリーから各給紙カセット又は手差しトレイについての当該設定を読み出して上記選出に用いる。
【００２８】
具体的に説明する。図１の画像形成装置１において、ジャム検出部３１１が搬送路１８０上におけるＪ１の位置に紙詰まりが発生したことを検出したとする。すると、給紙元選出部３１２は、位置Ｊ１を通らずに画像形成部１２へ用紙を給紙可能な給紙カセット又は手差しトレイ１５を１つ以上選出する。この場合、給紙元選出部３１２は、給紙カセット１４ａと手差しトレイ１５を選出する。
【００２９】
なお、図１の画像形成装置１において、ジャム検出部３１１が搬送路１８０上におけるＪ２の位置に紙詰まりが発生したことを検出したとすると、この場合には、給紙カセット群１４及び手差しトレイ１５のいずれから送られた用紙も位置Ｊ２を通るため、給紙元選出部３１２は、いずれの給紙カセット及び手差しトレイ１５も選出しない。
【００３０】
印刷条件判断部３１３は、給紙元選出部３１２により選出された給紙カセット又は手差しトレイ１５の設定条件と、この時点で実行されている印刷ジョブの印刷条件が一致するか否かを判断する。更に、印刷条件判断部３１３は、このように印刷ジョブの印刷条件が一致すると判断した給紙カセット又は手差しトレイ１５が専用給紙段であるか否かを判断する。専用給紙段とは、予め定められた条件に合致する印刷ジョブが実行されるときにのみ用紙を給紙する設定がされている給紙カセット又は手差しトレイ１５のことである。例えば、ファクシミリ専用の専用給紙段の場合、この専用給紙段は、ファクシミリジョブ実行時における給紙のみを行う（ファクシミリの受信結果を印刷する際にのみ用紙を画像形成部１２へ給紙する）という設定がされている。
【００３１】
具体的に説明する。図１に示すように、ジャム検出部３１１が位置Ｊ１で紙詰まりが発生したことを検出し、給紙元選出部３１２が給紙カセット１４ａを選出したとする。このとき、印刷条件判断部３１３は、給紙カセット１４ａの設定内容と、この時点で実行されている印刷ジョブの印刷条件が一致するか判断する。印刷条件判断部３１３は、給紙カセット１４ａの設定内容と、この時点で実行されている印刷ジョブの印刷条件が一致すると判断したとき、更に、当該給紙カセット１４ａが専用給紙段として設定されているか否かを判断する。
【００３２】
表示制御部３１４は、表示部４７３の表示制御を行う。印刷制御部３１５は、画像形成装置１全体に対する印刷制御を行う。
【００３３】
図１に示すように、ジャム検出部３１１が位置Ｊ１で紙詰まりが発生したことを検出し、給紙元選出部３１２が給紙カセット１４ａを選出したとする。この場合、印刷条件判断部３１３は、例えば、実行中の印刷ジョブが印刷に用いるとして示す用紙サイズ及び用紙種類を、給紙カセット１４ａが収容していると設定されている場合に、給紙カセット１４ａの設定内容と印刷ジョブの印刷条件が一致すると判断する。一方、印刷条件判断部３１３は、実行中の印刷ジョブが印刷に用いるとして示す用紙サイズ及び用紙種類を、給紙カセット１４ａが収容していないと設定されている場合に、給紙カセット１４ａの設定内容と印刷ジョブの印刷条件が一致しないと判断する。
【００３４】
なお、例えば、給紙カセット１４ａ、１４ｂ、１４ｃのそれぞれに収容されている用紙サイズ及び用紙種類を示す情報は、制御部３１が内蔵するメモリーに記憶されている。印刷条件判断部３１３は、上記印刷条件の一致を判断するとき、当該メモリーから当該情報を読み出して用いる。
【００３５】
給紙元選出部３１２により選出された給紙カセット又は手差しトレイ１５が、印刷条件判断部３１３により、上記のように印刷条件が一致すると判断され、かつ、専用給紙段であると判断された場合に、印刷制御部３１５は、更にユーザーが専用給紙段の設定解除を指示したことを条件として、専用給紙段の専用給紙段設定を解除し、印刷ジョブを実行させる。例えば、印刷制御部３１５は、上記印刷条件が一致するとして判断された専用給紙段が給紙カセット１４ａであり、給紙カセット１４ａがファクシミリ専用の専用給紙段とされている場合、この専用給紙段についての、ファクシミリジョブ実行時における給紙のみを行うという設定を解除して、給紙カセット１４ａからの給紙で、印刷ジョブを実行させる。
【００３６】
図３は、本実施の形態における紙詰まり発生時の処理の流れを示したフローチャートである。印刷制御部３１５が、印刷ジョブを実行して、画像形成部１２及び給紙部１６に印刷動作（画像形成動作）を行わせているときに、ジャム検出部３１１が搬送路１８０上における紙詰まりを検出すると、給紙元選出部３１２が紙詰まりを検知した位置に用紙を送らない給紙カセット又は手差しトレイ１５を選出する（Ｓ１１）。
【００３７】
例えば、図１の画像形成装置１において位置Ｊ１で紙詰まりが発生した場合、給紙元選出部３１２は、位置Ｊ１を通らずに画像形成部１２へ用紙を給紙可能な給紙元である給紙カセット１４ａ又は手差しトレイ１５を選出する。一方、位置Ｊ２で紙詰まりが発生した場合、給紙カセット群１４及び手差しトレイ１５から送られた用紙はいずれも位置Ｊ２を通るため、給紙元選出部３１２はいずれの給紙カセット又は手差しトレイ１５も選出しない。
【００３８】
給紙元選出部３１２が紙詰まり位置を回避して給紙可能な給紙カセット又は手差しトレイ１５を選出したとき（Ｓ１１；ＹＥＳ）、印刷条件判断部３１３は、選出された給紙カセット又は手差しトレイ１５の設定内容と印刷ジョブの印刷条件が一致しているか否かを判断する（Ｓ１２）。ここで、印刷条件判断部３１３が、選出された給紙カセット又は手差しトレイ１５の設定内容と印刷ジョブの印刷条件が一致していないと判断したときは（Ｓ１２；ＮＯ）、印刷制御部３１５は印刷動作を中断する（Ｓ１８）。また、給紙元選出部３１２が紙詰まり位置を回避して給紙可能な給紙カセット又は手差しトレイ１５を選出しないときも（Ｓ１１；ＮＯ）、印刷制御部３１５は印刷動作を中断する（Ｓ１８）。
【００３９】
なお、印刷条件判断部３１３は、Ｓ１２において、上記選出された給紙カセット又は手差しトレイ１５の設定内容と印刷ジョブの印刷条件が一致していない場合、紙詰まり位置を回避して給紙可能な手差しトレイ１５を、印刷ジョブの印刷条件と一致するものとして判断するようにしてもよい。この場合、印刷制御部３１５は、当該手差しトレイを新しい給紙元として印刷ジョブを続行させる。
【００４０】
一方、印刷条件判断部３１３は、上記選出された給紙カセット又は手差しトレイ１５の設定内容と印刷ジョブの印刷条件が一致していると判断した場合は（Ｓ１２；ＹＥＳ）、更に、上記選出された給紙カセット又は手差しトレイ１５が専用給紙段であるか否かを判断する（Ｓ１３）。
【００４１】
ここで、印刷条件判断部３１３が、上記選出された給紙カセット又は手差しトレイ１５が専用給紙段ではないと判断した場合（Ｓ１３；ＮＯ）、印刷制御部３１５は、上記選出された給紙カセット又は手差しトレイ１５を新しい給紙元として印刷を続行させる（Ｓ１７）。
【００４２】
一方、印刷条件判断部３１３が、上記選出された給紙カセット又は手差しトレイ１５が専用給紙段であると判断した場合（Ｓ１３；ＹＥＳ）、表示制御部３１４は表示部４７３に専用給紙段の設定を解除するか否かの選択入力を促すメッセージを表示させる（Ｓ１４）。
【００４３】
図４は、処理Ｓ１４において表示部４７３が表示する画面の一例を示した図である。ユーザーが「はい」ボタン９１を操作することで、タッチパネル機能を介して、専用給紙段の設定を解除することを選択する指示が入力受付部４７に入力された場合（Ｓ１５；ＹＥＳ）、印刷制御部３１５は給紙元選出部３１２が選出した給紙カセット又は手差しトレイ１５の専用給紙段設定を解除する（Ｓ１６）。そして印刷制御部３１５は給紙元選出部３１２が選出した給紙カセット又は手差しトレイ１５を新しい給紙元として印刷を続行させる（Ｓ１７）。
【００４４】
紙詰まり位置を回避して給紙可能な給紙カセット又は手差しトレイ１５がない場合（Ｓ１１；ＮＯ）、または給紙元選出部３１２が選出した給紙カセット又は手差しトレイ１５の設定内容と印刷ジョブの印刷条件が一致しない場合（Ｓ１２；ＮＯ）、またはユーザーが処理Ｓ１４において「いいえ」ボタン９２を操作することで、タッチパネル機能を介して、専用給紙段の設定を解除しないことを選択する指示が入力受付部４７に入力された場合（Ｓ１５；ＮＯ）、印刷制御部３１５は印刷動作を中断する（Ｓ１８）。
【００４５】
このように、印刷ジョブ実行中に紙詰まりが発生した場合、紙詰まり位置を回避して用紙を給紙できる給紙カセット又は手差しトレイ１５を給紙元として新たに設定し、当該紙詰まり位置を回避して用紙を給紙できる給紙カセット又は手差しトレイ１５が専用給紙段である場合には、ユーザーの指示に応じて専用給紙段設定を解除して新たな給紙元として設定することで、印刷を継続することができる。つまり、画像形成装置１のパフォーマンスを向上させることができる。なお、上記実施形態では、印刷制御部３１５は、当該紙詰まり位置を回避して用紙を給紙できる給紙カセット又は手差しトレイ１５が専用給紙段である場合に、ユーザーの指示に応じて専用給紙段設定を解除して新たな給紙元として設定することとしているが、これに代えて、ユーザーの指示を求めることなく専用給紙段設定を解除して新たな給紙元として設定するようにしてもよい。
【００４６】
また、Ｓ１２において、例えば、印刷条件判断部３１３は、収容されている用紙のサイズが異なることを原因として、上記選出された給紙カセットの設定内容と印刷ジョブの印刷条件が一致していないと判断する場合においては、印刷ジョブの印刷条件として設定されている用紙のサイズよりも大きなサイズからなる用紙を収容している給紙カセットがあるときは、当該給紙カセットを印刷条件が一致すると判断するようにしてもよい。この場合、当該選出された給紙カセットを新しい給紙元として（当該選出された給紙カセットが専用給紙段である場合には、ユーザーが専用給紙段の設定解除を指示したことを条件として）、当該選出された給紙カセットから、当該大きなサイズからなる用紙を給紙させて、印刷ジョブに基づく印刷を続行させる（Ｓ１７）。
【００４７】
また、上記実施形態では、本発明に係る画像形成装置の一実施形態として複合機を用いて説明しているが、これは一例に過ぎず、他の電子機器、例えば、プリンター、コピー機、ファクシミリ装置等の他の画像形成装置でもよい。
【００４８】
更に、図１乃至図４を用いて説明した構成及び処理は、本発明の一実施形態に過ぎず、本発明を当該構成及び処理に限定する趣旨ではない。
【符号の説明】
【００４９】
１        画像形成装置
１２      画像形成部
１４ａ、１４ｂ、１４ｃ  給紙カセット
１５      手差しトレイ
１６      給紙部
１７      搬送部
３１      制御ユニット
３１１    ジャム検出部
３１２    給紙元選出部
３１３    印刷条件判断部
３１４    表示制御部
３１５    印刷制御部
４１      センサー
４７      入力受付部
４７３    表示部
【図１】
2020075403.tif 000003
【図２】
2020075403.tif 000004
【図３】
2020075403.tif 000005
【図４】
2020075403.tif 000006